(57)【要約】【課題】  浄化排水総量が月間５０立方メートル以下の歯科医院の治療に於いて、チェアユニットから出る排液を殺菌して浄化し、排水する浄化システムを提供する。【解決手段】  排液を流すための排液管１３が接続する殺菌浄水器１０は円筒形状を呈しており、その内部は排液流路１１となっており、この排液流路１１中に複数本の紫外線殺菌灯１２が各々間を空けて排液流路１１に沿って架け渡されている。紫外線殺菌灯１２で殺菌浄化された浄化排水は、浄化排水管１４を介して浄化排水タンク１５に貯蔵され、タンク排水管１６から排水される際に流量計１７で計測されて、廃液の月間積算量が５０立方メートル以下であることが確認される。【選択図】図１
2018143754.tif 000002
【特許請求の範囲】
【請求項１】
患者周りの治療設備であるチェアユニットと、該チェアユニットからのバキューム排液から空気を除去して排液を取り出すための排液分離器と、該排液分離器からの排液と前記チェアユニットからのうがい排液とを流すための排液流路と、該排液流路に紫外線殺菌灯からの紫外線を照射して排液を浄化するための殺菌浄水器と、該殺菌浄水器から浄化排水を取り出すための浄化排水管とを備えており、この浄化排水管から流す浄化排水の総量が月間５０立方メートル以下であることを特徴とする歯科治療用の排液浄化システム。
【請求項２】
患者周りの治療設備であるチェアユニットと、該チェアユニットからのバキューム排液から空気を除去して排液を取り出すための排液分離器と、該排液分離器からの排液と前記チェアユニットからのうがい排液とを流すための排液流路と、該排液流路にオゾン発生機からのオゾンを注入して排液を浄化しつつ残余のオゾンを回収するオゾン殺菌浄水器と、該オゾン殺菌浄水器から浄化排水を取り出すための浄化排水管とを備えており、この浄化排水管から流す浄化排水の総量が月間５０立方メートル以下であることを特徴とする歯科治療用の排液浄化システム。
【請求項３】
患者周りの治療設備であるチェアユニットと、該チェアユニットからのバキューム排液から空気を除去して排液を取り出すための排液分離器と、該排液分離器からの排液と前記チェアユニットからのうがい排液とを流すための排液流路と、該排液流路に超音波発生機からの超音波を照射して排液に発生する超音波キャビテーションにより排液を浄化するための超音波殺菌浄水器と、該超音波殺菌浄水器から浄化排水を取り出すための浄化排水管とを備えており、この浄化排水管から流す浄化排水の総量が月間５０立方メートル以下であることを特徴とする歯科治療用の排液浄化システム。
【請求項４】
更に前記殺菌浄水器の前段または後段に、または前記殺菌浄水器の内部に、前記排液流路からの排液を薬剤で殺菌するための薬剤殺菌浄水部を備えている、請求項１または請求項２または請求項３に記載の歯科治療用の排液浄化システム。
【請求項５】
前記薬剤殺菌浄水部は、前記殺菌浄水器の特に前段または内部に用いられ、前記薬剤として塩素化イソシアヌル酸を納めるものである、請求項４に記載の歯科治療用の排液浄化システム。
【請求項６】
前記薬剤殺菌浄水部は前記薬剤として次亜塩素酸カルシウムを納めるものである、請求項４に記載の歯科治療用の排液浄化システム。
【請求項７】
更に前記殺菌浄水器の前段または後段に、または前記殺菌浄水器の内部に、前記排液流路からの排液より金属を分離して回収するための金属回収部を備えている、請求項１または請求項２または請求項３に記載の歯科治療用の排液浄化システム。
【請求項８】
前記金属回収部は、金属を含む排液を分離槽内で回転させ、この際に生ずる遠心力によって、排液から金属を分離するものである、請求項７に記載の歯科治療用の排液浄化システム。
【請求項９】
前記金属回収部は、金属を含む排液を回収容器内に導入し、金属の重量によって金属を回収容器内に沈殿させ、金属が分離した廃液を前記回収容器から排出するものである、請求項７に記載の歯科治療用の排液浄化システム。
【請求項１０】
前記金属回収部は、複数の前記回収容器が排液流路に沿って階段状に並設されたものである、請求項９に記載の歯科治療用の排液浄化システム。
【請求項１１】
前記殺菌浄水器は、前記紫外線殺菌灯を排液流路に臨ませて設けて成るものである、請求項１または請求項２または請求項３または請求項４または請求項７に記載の歯科治療用の排液浄化システム。
【請求項１２】
前記殺菌浄水器は、前記紫外線殺菌灯の複数本を排液流路中に排液流路に沿って設けて成るものである、請求項１または請求項２または請求項３または請求項４または請求項７に記載の歯科治療用の排液浄化システム。
【請求項１３】
殺菌浄化された浄化排水を計量するための計量手段を備える、請求項１または請求項２または請求項３または請求項４または請求項７に記載の歯科治療用の排液浄化システム。
【請求項１４】
前記浄化排水管に浄化排水を溜めておくための浄化排水タンクを備えている、請求項１または請求項２または請求項３または請求項４または請求項７に記載の歯科治療用の排液浄化システム。
【請求項１５】
前記排液流路に揚水のための揚水ポンプを介在させて成る、請求項１または請求項２または請求項３または請求項４または請求項７に記載の歯科治療用の排液浄化システム。
【請求項１６】
前記殺菌浄水器の前段または後段に、更に瀘過のための浄水槽を備えている、請求項１または請求項２または請求項３または請求項４または請求項７に記載の歯科治療用の排液浄化システム。
【発明の詳細な説明】
【技術分野】
【０００１】  本発明は、患者を腰掛けさせるなどして治療するためのチェアユニットから排出される排液を浄化して歯科衛生に寄与する、歯科治療用の排液浄化システムに関する。
【背景技術】
【０００２】  従来の歯科治療に於いては、チェアユニットから出るバキューム排液から空気を除去して排液を取り出し、空気は空中に放出し、排液は傾斜排液管等の排液管に流す水回路を備えた排液排出装置が用いられて来た。なおこれとは別にうがい排液を流す回路も備えている。このような排液にはだ液、血液、歯垢等が混在しており、雑菌を含んで不衛生であった。【０００３】  このような排液が水回路に残留するため、これを排出するものとして特開２００９−２１９７２３では、水回路中の残留水を空気と共に吸引して排出する吸引回路を水回路に設けたものとしている。この他水回路中の残留水に加圧して排出するタイプのものもある。
【先行技術文献】
【特許文献】
【０００４】
【特許文献１】特開２００９−２１９７２３（図１）
【発明の概要】
【発明が解決しようとする課題】
【０００５】  しかしながら従来の排液排出装置では排液は浄化されないまま流されており、だ液、血液、歯垢等が混在し、雑菌が繁殖する不衛生な環境を不本意ながら提供していた。従って本発明はこのような問題をより簡易な方法で解決して歯科衛生に寄与することを目的とする。なお本発明は、特に浄化排水の総量が月間５０立方メートル以下である規模の小さな歯科医院等の病院の衛生に寄与せんとするものである。
【課題を解決するための手段】
【０００６】  上記課題は、患者周りの治療設備であるチェアユニットと、該チェアユニットからのバキューム排液から空気を除去して排液を取り出すための排液分離器と、該排液分離器からの排液と前記チェアユニットからのうがい排液とを流すための排液流路と、該排液流路に紫外線殺菌灯からの紫外線を照射して排液を浄化するための殺菌浄水器と、該殺菌浄水器から浄化排水を取り出すための浄化排水管とを備えており、この浄化排水管から流す浄化排水の総量が月間５０立方メートル以下であることを特徴とする、歯科治療用の排液浄化システムを提供することにより解決する。【０００７】  前記排液分離器はチェアユニットからのバキューム排液から空気を抜いて排液を出す。この排液とうがい排液とは従来のように排液流路に流されるが、本発明ではこの排液流路に殺菌浄水器が設けられており、殺菌浄水器は紫外線殺菌灯を備えており、この紫外線殺菌灯から排液流路の排液に対して紫外線を照射する。これにより排液は殺菌浄化されて排出される。従来のものと異なり本発明の排液浄化システムからは極力殺菌浄化された排水が浄化排水管に取り出される。【０００８】  なお本発明で用いる紫外線殺菌灯には水銀電球や紫外線ＬＥＤ（Ｌｉｇｈｔ  Ｅｍｉｔｔｉｎｇ  Ｄｉｏｄｅ）などがあるが、どのような紫外線殺菌灯を用いるかは任意である。また殺菌浄化された排液を計量するための計量手段を備えるとなお良い。排液量が月間５０立方メートル以下であるかがより分かりやすくなる。【０００９】  また上記課題は、請求項２の発明では、患者周りの治療設備であるチェアユニットと、該チェアユニットからのバキューム排液から空気を除去して排液を取り出すための排液分離器と、該排液分離器からの排液と前記チェアユニットからのうがい排液とを流すための排液流路と、該排液流路にオゾン発生機からのオゾンを注入して排液を浄化しつつ残余のオゾンを回収するオゾン殺菌浄水器と、該オゾン殺菌浄水器から浄化排水を取り出すための浄化排水管とを備えており、この浄化排水管から流す浄化排水の総量が月間５０立方メートル以下であることを特徴とする歯科治療用の排液浄化システムを提供することにより解決する。【００１０】  オゾン発生機を設けておき、このオゾン発生機からのオゾンを排液に注入して、発生期の酸素により排液を殺菌浄化するのである。なお浄化排水中の残余のオゾンは排液流路から回収するため安心である。【００１１】  また上記課題は、請求項３の発明では、患者周りの治療設備であるチェアユニットと、該チェアユニットからのバキューム排液から空気を除去して排液を取り出すための排液分離器と、該排液分離器からの排液と前記チェアユニットからのうがい排液とを流すための排液流路と、該排液流路に超音波発生機からの超音波を照射して排液に発生する超音波キャビテーションにより排液を浄化するための超音波殺菌浄水器と、該超音波殺菌浄水器から浄化排水を取り出すための浄化排水管とを備えており、この浄化排水管から流す浄化排水の総量が月間５０立方メートル以下であることを特徴とする歯科治療用の排液浄化システムを提供することにより解決する。【００１２】  超音波発生機を設けておき、この超音波発生機から発生した超音波を排液に照射する。すると照射された超音波により排液に真空の気泡が発生するが、これは直に破裂して衝撃波を発生する。そしてこの衝撃波によって殺菌浄化が為されるのである。なお後述するような歯を切削したカスである欠片や、詰め物を切削したカスである金属片に付着している汚れなどは、キャビテーションによる衝撃波により歯の欠片や金属片から浮かされ、加速度により引き剥がされ、直進流により奪い去られることになる。【００１３】  次に、更に前記殺菌浄水器の前段または後段に、または前記殺菌浄水器の内部に、前記排液流路からの排液を薬剤で殺菌するための薬剤殺菌浄水部を備えているものとすることが出来る。特に浄化排水の総量が月間５０立方メートル以下である規模の小さな歯科医院等の病院に於いては、従来の排液排出装置ではだ液、血液、歯垢等が混在し、雑菌が繁殖する不衛生な排液が浄化されないまま流されていた。これを本発明の殺菌浄水器ではその排液流路に紫外線殺菌灯からの紫外線を照射して排液を浄化するのであるが、更に薬剤で殺菌するための薬剤殺菌浄水部を備えて、より高い効果を上げようと言うのである。なお薬剤によっては、殺菌浄水器より後段に於いても、その薬効を上げることが可能であることが分かっている。【００１４】  薬剤殺菌浄水部の薬剤は、例えばカートリッジ式にすることで交換などのメンテナンスが容易になる。また例えば活性炭を併用するなどして臭いを吸着することが出来る。また紫外線の殺菌作用が及ばない場所でも殺菌作用を継続して現すことが可能である。【００１５】  薬剤殺菌浄水部は、前記殺菌浄水器の特に前段または内部に用いられ、薬剤として塩素化イソシアヌル酸を用いることが出来る。殺菌浄水器は紫外線殺菌灯を備えており、この紫外線殺菌灯から排液流路の排液に対して紫外線が照射されると、紫外線は塩素を分解を促進する作用がある。このような環境下にあってこの塩素化イソシアヌル酸の粒状や顆粒状の薬剤は、汚水量の上昇に対しても塩素濃度を上げて対応することが可能である。【００１６】  薬剤殺菌浄水部は、薬剤として次亜塩素酸カルシウムを用いることが出来る。いわゆるさらし粉、カルキであるが、薬剤殺菌浄水部の内部で用いられるものであり、水には徐々に溶ける性質のため、殺菌効果が長続きすると言う利点がある。【００１７】  次に、更に前記殺菌浄水器の前段または後段に、または前記殺菌浄水器の内部に、前記排液流路からの排液より金属を分離して回収するための金属回収部を備えているものとすることが出来る。チェアユニットのうがい排液やバキューム排液には、歯を切削したカスである所の菌の欠片や、詰め物を切削したカスである所の金属片には、金や銀やプラチナやチタンやパラヂウムと言った高価な金属類が含まれている。従来はこれ等はカスとして取り扱われて排液ごと廃棄されていた。しかしながら都市鉱山と呼んでも良いようなこれ等の経済的価値のある金属類を回収して再利用しない手はない。【００１８】  そこで本発明の排液浄化システムに金属回収部を組み込んだのである。特筆すべきは、金属回収部にて回収される金属類は本発明の排液浄化システムによって浄化されるため、その後の取り扱いがより衛生的なことである。【００１９】  金属回収���は、金属を含む排液を分離槽内で回転させ、この際に生ずる遠心力によって排液から金属を分離するものとすることが出来る。排液流路の排液を、例えば円筒形の分離槽に導入して、排液の渦を生じた後に排出するように設計するのである。排液を分離槽の壁面に沿って導入すれば、排液の勢いで分離槽内に排液の渦が出来る。すると比較的に重い歯の欠片や金属片と言ったものが分離槽の中心部に集まり、それ以外の比較的に軽いものは渦の中心ではなく外側で渦巻いた後に、分離槽から排出される。これにより中心部に集められた歯の欠片や金属片を回収することが出来る。【００２０】  また金属回収部は、金属を含む排液を回収容器内に導入し、金属の重量によって金属を回収容器内に沈殿させ、金属が分離した廃液を前記回収容器から排出するものとすることが出来る。排液流路に回収容器があると、ここに流れ込んだ排液の中の比較的に重い歯の欠片や金属片と言ったものが回収容器に沈殿し、それ以外の比較的に軽いものは回収容器から排出される。これによって回収容器に沈殿している歯の欠片や金属片を回収することが出来る。【００２１】  なおこのような回収容器を複数個用いることが出来る。すなわち複数の回収容器が排液流路に沿って階段状に並設されたものとするのである。排液流路に階段状に並んだ回収容器の構成によれば、より大粒であったり重かったりするような歯の欠片や金属片は最初の回収容器に沈殿するが、ここで沈殿しなかった歯の欠片や金属片は最初の回収容器の壁を越えて次段の回収容器に流れ落ち、この段でも沈殿しなかった歯の欠片や金属片がさらに次の段の回収容器に流れ落ちるようになる。従って歯の欠片や金属片は階段状に並設された複数の回収容器に仕分けされたような形となり、これ等の回収がより便利なものとなるのである。【００２２】  さて本発明の排液浄化システムでは、殺菌浄水器は、紫外線殺菌灯を排液流路に臨ませて設けたものとしても良い。紫外線殺菌灯からの紫外線を排液に照射する設計には各種あるが、排液流路に臨ませて紫外線殺菌灯を設ける設計がより簡易である。例えば治療室の床下の傾斜排液管周りに殺菌浄水器を設けることもそれほど難しくはない。また殺菌浄水器は、紫外線殺菌灯の複数本を排液流路中に排液流路に沿って設けて成るものとしても良い。殺菌浄水器の紫外線殺菌灯の間間が排液流路となることから、ここを流れている排液は紫外線によってより高効率で殺菌浄化されることになる。【００２３】  また、前記浄化排水管に浄化排水を溜めておくための浄化排水タンクを備えているものとすることが出来る。この浄化排水タンクは一度紫外線殺菌を施した後の浄化排水を溜めることになるから従来技術に比してより衛生的である。【００２４】  また、前記排液流路に揚水のための揚水ポンプを介在させて成るものとしても良い。上述したように殺菌浄水器を治療室の床下の傾斜等排液管周りに設けることは可能であるが、それでも場合によっては治療室の床下には傾斜等排液管しか通せないと言うような建築構造もある。そこで例えば壁面内に殺菌浄水器を設けるような設計とするのであれば、殺菌浄水器まで排液を揚げるための揚水ポンプを用いる設計とすれば良い。【００２５】  また、前記殺菌浄水器の前段ま���は後段に、更に瀘過のための浄水槽を備えているものとすることが出来る。浄水槽の瀘過部材としては木炭、トルマリン粒などの各種石類、藁などの植物の茎や木の皮、浄水用の合成樹脂ファイバー等々を上げる。このような浄水槽に排液を通すことでも排液を浄化することが出来る。すなわち本発明の排液浄化システムに於ける殺菌浄水器と浄水槽との相乗効果が得られるのである。
【発明の効果】
【００２６】  本発明の歯科治療用の排液浄化システムによれば、チェアユニットの排液流路に殺菌浄水器の紫外線殺菌灯から紫外線を照射することで、またはオゾン発生機からオゾンを注入することで、または超音波発生機から超音波を照射することで、排液を殺菌して浄化することが出来て、浄化排水の総量が月間５０立方メートル以下である所の規模の小さな医院の歯科衛生に寄与するものとなっており、簡易なものでありながらその産業上の利益には計り知れないものがある。なお薬剤で殺菌するための薬剤殺菌浄水部を備えているものではより高い殺菌効果を上げることが出来る。また金属を分離して回収するための金属回収部を備えているものでは、経済的価値のある金属類を浄化しつつ回収して、より衛生的に再利用することが出来る。
【図面の簡単な説明】
【００２７】
【図１】実施例１の説明図である。
【図２】実施例２の説明図である。
【図３】実施例３の説明図である。
【図４】実施例４の説明図である。
【図５】実施例５の説明図である。
【図６】実施例６の説明図である。
【図７】実施例７の説明図である。
【図８】実施例８の説明図である。
【図９】実施例９の説明図である。
【図１０】実施例１０の説明図である。
【発明を実施するための形態】
【００２８】  以下本発明の１０種類の実施例を図１〜図１０を参照しつつ説明するが、本発明はこれ等の実施例に限定されるものではない。
【実施例１】
【００２９】  図１は本実施例の排液浄化装置１に係るが、チェアユニットや排液分離器は図示を省略している（実施例２の図２を参照のこと）。チェアユニットや排液分離器から繋る排液管１３は、殺菌浄水器１０に接続されている。この殺菌浄水器１０は円筒形状を呈し、その内部は排液流路１１となっており、この排液流路１１中に複数本の紫外線殺菌灯１２が各々間を空けて排液流路１１に沿って架け渡されている。すなわち殺菌浄水器１０の紫外線殺菌灯１２の間間が排液流路１１であるから、ここを流れている排液は紫外線によって高効率で殺菌浄化されることになる。なお殺菌浄水器１０には、鎖線で表したように排液流路１１の外側に紫外線のリフレクタ１８を配設するようにしても良い。【００３０】  こうして殺菌浄化された浄化排水は、浄化排水管１４を介して浄化排水タンク１５に貯蔵される。なお符号１６は浄化排水タンク１５のタンク排水管を指し、ここに流量計１７が取り付けられている。この流量計１７で計測し積算した廃液の月間積算量は、５０立方メートル以下であることが確認される。なお流量計１７は積算流量計としても良い。
【実施例２】
【００３１】  本実施例の排液浄化装置２のチェアユニット２０からは、バキューム排液管２１とうがい排液管２２とが取り出されており、バキューム排液管２１は排液分離器２４に接続されており、排液分離器２４の排出口は排液弁２５を介して前記うがい排液管２２と共に傾斜排液管２３に接続されている。この傾斜排液管２３は傾斜して設置されているため、これ等の排液は自然に下流に流れるようになっている。【００３２】  傾斜排液管２３の下流には排液流路２００としての透明パイプ２６があり、透明パイプ２６は殺菌浄水器２７で周りを覆われている。殺菌浄水器２７は透明パイプ２６の周りに設けられた複数個の紫外線殺菌灯２８と、その各々が備えるリフレクタ２９とから構成されている。リフレクタ２９は、紫外線殺菌灯２８から発せられる紫外線を透明パイプ２６の方に反射する役割を担う。なお透明パイプ２６の下流は浄化排水管２０１が接続されている。【００３３】  本実施例によれば、殺菌浄水器２７は透明パイプ２６の周りに紫外線殺菌灯２８を設けただけの簡易なものであるが、これによって排液を殺菌して浄化することが出来ると言う効果を奏する。すなわち従来技術に比してより衛生的なものとなっている。
【実施例３】
【００３４】  図３は本実施例の排液浄化装置３に係り、チェアユニット及び排液分離器は図示を省略しているが、チェアユニットや排液分離器から繋る排液管３３は殺菌浄水器３０の頂部に接続されており、殺菌浄水器３０の浄化排水管３４は殺菌浄水器３０の底部より取り出され浄化排水タンク３５に接続されている。なお符号３６は浄化排水タンク３５のタンク排水管を指している。【００３５】  この殺菌浄水器３０の内部は、スロープ３７が傾斜の方向を互い違いに変えて４段に組み合わされているため、矢線で示した排液流路３２をジクザグに排液が流れ下ることになる。この際に図３の背後の紫外線照射壁面３１から紫外線を照射される。従って排液は長い排液流路３２で繰り返し紫外線の照射を浴びて効率良く殺菌浄化されるのである。なお紫外線照射壁面３１はガラス面であり、この背後に図示しない紫外線殺菌灯が配設されている。
【実施例４】
【００３６】  本実施例の排液浄化装置４のチェアユニット４０からは、バキューム排液管４１とうがい排液管４２とが取り出されており、バキューム排液管４１は排液分離器４４に接続されており、排液分離器４４の排出口は排液弁４５を介して前記うがい排液管４２と共に排液管４３に接続されている。排液管４３はこの実施例では水平に設置されている。【００３７】  排液管４３の下流には透明パイプ４６があり、透明パイプ４６は殺菌浄水器４７で周りを覆われている。この殺菌浄水器４７は透明パイプ４６の周りに設けられた複数個の紫外線殺菌灯４８と、その各々が備えるリフレクタ４９とから構成されている。この殺菌浄水器４７は前記水平に設置された排液管４３よりも高い位置に設置されている。従って排液管４３と透明パイプ４６との間に揚水ポンプ４０１を介在させて、排液を排液流路４００である透明パイプ４６まで揚げるようにしているのである。【００３８】  而して殺菌浄水器４７の透明パイプ４６の流路を通過する排液は、周りの紫外線殺菌灯４８から紫外線の照射を受けて殺菌浄化されるが、さらに透明パイプ４６から繋る中継管４０１を経て浄水槽４０３で瀘過され、こうして得られた浄化排水は浄化排水管４０４より排出されつつ、積算流量計４０５にて廃液の月間積算量が５０立方メートル以下であることが容易に確認される。なお本実施例では浄水槽４０３には２種類の活性炭と２種類の中空糸膜との計４層の瀘過物質が充填されており、これ等はカートリッジとして交換可能なものである。
【実施例５】
【００３９】  図５は本実施例の排液浄化装置５に係るが、チェアユニットや排液分離器は図示を省略している（実施例２の図２を参照のこと）。チェアユニットや排液分離器から繋る排液管５３は、殺菌浄水器５０に接続されている。この殺菌浄水器５０は円筒形状を呈し、その内部は排液流路５１となっており、この排液流路５１中に複数本の紫外線殺菌灯５２が各々間を空けて排液流路５１に沿って架け渡されている。すなわち殺菌浄水器５０の紫外線殺菌灯５２の間間が排液流路５１であるから、ここを流れている排液は紫外線によって高効率で殺菌浄化されることになる。なお殺菌浄水器５０には、鎖線で表したように排液流路５１の外側に紫外線のリフレクタ５８を配設するようにしても良い。【００４０】  さて殺菌浄水器５０に接続されているチェアユニットや排液分離器から繋る排液管５３には、その中間に薬剤殺菌浄化部５５を備えており、この薬剤殺菌浄化部５５の内部にはカートリッジ式の薬剤５６が交換自在に納められている。薬剤５６はこの実施例では粒状の次亜塩素酸カルシウムである。従って排液管５３を流れ下る排液はこの薬剤殺菌浄化部５５によって殺菌浄化されることになる。【００４１】  こうして薬剤殺菌浄化部５５と殺菌浄水器５０とを経て殺菌浄化された浄化排水は、浄化排水管５４を介して浄化排水タンクに貯蔵される。図示しない流量計は、この浄化排水タンクのタンク排水管に取り付けられており、ここで積算した廃液の月間積算量は５０立方メートル以下であることが確認される。
【実施例６】
【００４２】  図６は本実施例の排液浄化装置６に係り、チェアユニット及び排液分離器は図示を省略しているが、チェアユニットや排液分離器から繋る排液管６３は殺菌浄水器６０の頂部に接続されており、殺菌浄水器６０の浄化排水管６４は殺菌浄水器６０の底部より取り出されて図示しない浄化排水タンクに接続されている。【００４３】  この殺菌浄水器６０の内部は、スロープ６５が傾斜の方向を互い違いに変えて４段に組み合わされているため、矢線で示した排液流路６２をジクザグに排液が流れ下ることになる。この際に図６の背後の紫外線照射壁面６１から紫外線を照射される。従って排液は長い排液流路６２で繰り返し紫外線の照射を浴びて効率良く殺菌浄化されるのである。なお紫外線照射壁面６１はガラス面であり、この背後に図示しない紫外線殺菌灯が配設されている。【００４４】  またこの実施例の特徴は、スロープ６５の上に薬剤６６が、流れ下る排液によって流されることがないように納められている。薬剤６６はこの実施例では粒状の塩素化イソシアヌル酸である。従ってスロープ６５を流れ下る排液は、この薬剤殺菌浄化部でもある所のスロープ６５の薬剤６６によって殺菌浄化されることになる。薬剤６６に塩素化イソシアヌル酸を用いた理由は、この実施例のように紫外線が紫外線照射壁面６１から照射されるものである場合、紫外線は強力に塩素の分解を促進する方向に作用するが、イソシアヌル酸が存在することによって、塩素に先行してイソシアヌル酸が紫外線の作用を受けるために、塩素の分解作用を遅らせることが出来るのである。従って薬剤６６の塩素化イソシアヌル酸は大量の汚水に対しても塩素濃度を上げて対応することが可能である。【００４５】  最後にその他の実施例を説明する。紫外線殺菌灯を備えた殺菌浄水器にどのような形態のものを使用するかは任意である。また排液分離器からの排液を流すための排液流路と、チェアユニットからのうがい排液を流すための排液流路とを別々に設けて、その各々に殺菌浄水器を適用する構成も本発明の権利範囲内にある。またうがい排液とはバキュームされていない排液のことであるから、この意味でうがい等排液と読み替えて差し支えない。すなわち本発明は、患者周りの治療設備であるチェアユニットと、該チェアユニットからのバキューム排液から空気を除去して排液を取り出すための排液分離器と、該排液分離器からの排液とチェアユニットからの非バキューム排液とを流すための排液流路と、該排液流路に紫外線殺菌灯からの紫外線を照射して排液を浄化するための殺菌浄水器と、該殺菌浄水器から浄化排水を取り出すための浄化排水管とを備えていることを特徴とする歯科治療用の排液浄化システムである。
【実施例７】
【００４６】  図７は本実施例の排液浄化装置６７に係り、チェアユニット及び排液分離器は図示を省略しているが、チェアユニットや排液分離器から繋る排液管６３は殺菌浄水器６８の頂部に接続されており、殺菌浄水器６８の浄化排水管６４は殺菌浄水器６８の底部より取り出されて図示しない浄化排水タンクに接続されている。【００４７】  この殺菌浄水器６８の内部は、階段状仕切板６９が下段に繋がる排液流路６２となる部位の方向を互い違いに変えて４段に組み合わされているため、矢線で示した排液流路６２をジクザグに排液が流れ下ることになる。この際に図７の背後の紫外線照射壁面６１から紫外線を照射される。従って排液は、長い排液流路６２で繰り返し紫外線の照射を浴びて効率良く殺菌浄化されるのである。なお紫外線照射壁面６１はガラス面であり、この背後に図示しない紫外線殺菌灯が配設されている。【００４８】  またこの実施例の特徴は、殺菌浄水器６８の中央側面部にオゾンＯ３を発生するためのオゾナイザ６００が設けられていると共に、殺菌浄水器６８の上側頂面部にオゾンＯ３を回収するためのオゾン回収器６０２が設けられている点にある。長い排液流路６２を流れ下る排液に対して、この排液流路６２を遡る形でオゾン流路６０１が形成されることになる。従って排液管６３から流入した廃液は紫外線照射壁面６１からの紫外線の照射を浴びるのみならず、オゾン流路６０１を遡上するオゾンＯ３の発生期の酸素Ｏによる酸化作用を受けて、強力に殺菌浄化されることになる。【００４９】  なお浄化排水管６４から排出される浄化排水の中にオゾンＯ３が含まれており、残余のオゾンＯ３が治療室の床下などに漏れ出ることを良しとしないのであれば、残余のオゾンＯ３は殺菌浄水器６８の内部で回収されることが望ましい。そのために吸入用のファンＦを有するオゾン回収器６０２を設けたのであり、上記のような危惧が解消されて安心してもらうことが出来るのである。なお浄化排水管６４の先に薬剤による殺菌浄水器を設けるなども可能である。
【実施例８】
【００５０】  図８は本実施例の排液浄化装置２０２に係り、その殆どの構成を上述した実施例２のそれに倣うものであるが、超音波発振器２０４を有する殺菌浄水器２０３を備えている点で異なる。すなわち排液浄化装置２０２のチェアユニット２０からはバキューム排液管２１と、うがい排液管２２とが取り出されており、バキューム排液管２１は排液分離器２４に接続されており、排液分離器２４の排出口は排液弁２５を介して前記うがい排液管２２と共に傾斜排液管２３に接続されている。【００５１】  上記傾斜排液管２３の下流には殺菌浄水器２０３が設けられており、傾斜排液管２３から殺菌浄水器２０３に掛けて排液流路２００となっている。この殺菌浄水器２０３の上側頂面部には超音波発振器２０４が殺菌浄水器２０３の内部に向けて設置されている。なお殺菌浄水器２０３の排出具には浄化排水管２０５が接続されている。【００５２】  本実施例によれば、排液流路２００から殺菌浄水器２０３の内部に流れ込んだ排水が、超音波発振器２０４から発せられた超音波Ｓに当たって殺菌浄化される。すなわち照射された超音波により排液に真空の気泡が発生し、これは直に破裂して衝撃波を発生し、この衝撃波によって排液が殺菌浄化されて、浄化排水管２０５から排出される。なおこの浄化排水管２０５の次に薬剤による殺菌浄水器を設けても良い。
【実施例９】
【００５３】  図９は本実施例の排液浄化装置７に係り、金銀などの金属回収部を備えている点に特徴を有する。この排液浄化装置７の殺菌浄水器７０は円筒形状のものであり、その上側側壁部に排液管７２が接続され、下側側壁部に浄化排水管７３が接続されている。図示はしないが殺菌浄水器７０を平面視すると、殺菌浄水器７０の円周壁面に対して、排液管７２は一側に偏って取り付けられており、浄化排水管７３は他側に偏って取り付けられている。この構造により円筒形状の殺菌浄水器７０に排液管７２から流れ込んだ排水は円周壁面に沿って下り、浄化排水管７３から都合良く排出されるようになっている。すなわち排液は殺菌浄水器７０の中で渦を巻くような形で排液流路７１を作りながら流れ下るのである。【００５４】  一方、殺菌浄水器７０の底部中央部には金属取出口７４が配設されている。上記で排水は殺菌浄水器７０の中で排液流路７１の渦を作ると説明したが、この渦が生じることにより排液中に含まれる軽い物質ほど渦の外側を流れ、歯の欠片や金銀のような重い物質ほど渦の中心部に集まる。従ってこの中心部に集められた歯の欠片や金属片（符号Ｍ）を金属取出口７４から回収することが出来るのである。【００５５】  さて殺菌浄水器７０の円周壁面はガラス製の透明壁７５から成り、この外側に殺菌浄水器７６が取り付けられている。殺菌浄水器７６は透明壁７５の周りに設けられた複数個の紫外線殺菌灯７７とその各々が備えるリフレクタ７８とから構成されている。リフレクタ７８は紫外線殺菌灯７７から発せられる紫外線を透明壁７５の方に反射する役割を担う。【００５６】  従って上述のように殺菌浄水器７０の中で渦を巻くような形で排液流路７１を作りながら流れ下る排液は、その過程で殺菌浄水器７６から照射される紫外線を浴びることによって殺菌浄化されることになる。すなわち金属取出口７４から回収する金属も、浄化排水管７３から排出される排液も、共に従来技術に比してより衛生的なものとなっている。なおこの浄化排水管７３の側に薬剤による殺菌浄水器を設ける設計も可能である。
【実施例１０】
【００５７】  図１０は本実施例の排液浄化装置８に係り、金銀などの金属回収部を備えている点に特徴を有する。この排液浄化装置８には３つの分離槽８０、分離槽８１、分離槽８２が直列に且つ排液流路８３に沿って階段状に並設されている。また図示しないチェアユニットや排液分離器から繋る排液管８４は初段の分離槽８０の頂部に接続されており、また最後段の分離槽８２の排液管８７は分離槽８２の下部側面部より取り出されて、薬剤殺菌浄水部８９、浄化排水管８８を経て図示しない浄化排水タンクに接続されている。なお薬剤殺菌浄水部８９にはカートリッジ式の薬剤８００が装着されている。ここが本実施例に於ける排液浄化を担うことになる。【００５８】  この階段状に並設された回収容器としての分離槽８０、分離槽８１、分離槽８２であるが、分離槽８０の分離槽８１との間の分離壁８５は低く形成されており、また分離槽８１の分離槽８２との間の分離壁８６も同様に低く形成されている。【００５９】  この構成により本実施例の排液浄化装置８では次のような作用が見られることになる。すなわち排液は、排液管８４から初段の分離槽８０に流れ込み、分離壁８５、分離壁８６を越えて最後段の分離槽８２から排液管８７に至る間に、より大粒であったり重かったりするような歯の欠片や金属片は初段の分離槽８０に沈殿するが、ここで沈殿しなかった歯の欠片や金属片は初段の分離槽８０の分離壁８５を越えて中段の分離槽８１に流れ落ち、この段でも沈殿しなかった歯の欠片や金属片が中段の分離槽８１の分離壁８６を越えてさらに最後段の分離槽８２に流れ落ちるようになる。従って歯の欠片や金属片は、階段状に並設された３段に成る分離槽８０、分離槽８１、分離槽８２で仕分けされたような形となり、これ等の回収がより便利なものとなるのである。【００６０】  こうして歯の欠片や金属片（Ｍ１、Ｍ２、Ｍ３）が分離された排液は、排液管８７から排出されて薬剤殺菌浄水部８９を通過する過程で、薬剤殺菌浄水部８９の薬剤８００により殺菌浄化されて浄化排水管８８に至る。なお上記で回収された歯の欠片や金属片はその後に洗浄される。【００６１】  最後にその他の実施例を説明する。紫外線殺菌灯を備えた殺菌浄水器にどのような形態のものを使用するかは任意である。また排液分離器からの排液を流すための排液流路と、チェアユニットからのうがい排液を流すための排液流路とを別々に設けて、その各々に殺菌浄水器を適用する構成も本発明の権利範囲内にある。またうがい排液とはバキュームされていない排液のことであるから、この意味でうがい等排液と読み替えて差し支えない。すなわち本発明は、患者周りの治療設備であるチェアユニットと、該チェアユニットからのバキューム排液から空気を除去して排液を取り出すための排液分離器と、該排液分離器からの排液とチェアユニットからの非バキューム排液とを流すための排液流路と、該排液流路に紫外線殺菌灯からの紫外線を照射して排液を浄化するための殺菌浄水器と、該殺菌浄水器から浄化排水を取り出すための浄化排水管とを備えていることを特徴とする歯科治療用の排液浄化システムでもある。【００６２】  なお上述の実施例で説明した紫外線や薬剤による殺菌浄水器や、オゾナイザや超音波発振器や、金属回収部の構成などは、相互に組み合わせる設計を自由に行って良い。
【産業上の利用可能性】
【００６３】  本発明の排液浄化システムは単に歯科治療用に限定されることなく、医療分野全般に広く適用可能である。この場合チェアユニットを必要に応じてベッドユニットなどとすれば良い。
【符号の説明】
【００６４】  １    ：排液浄化装置            １０  ：殺菌浄水器
１１  ：排液流路                １２  ：紫外線殺菌灯
１３  ：排液管                  １４  ：浄化排水管
１５  ：浄化排水タンク          １６  ：タンク排水管
１７  ：流量計                  １８  ：リフレクタ
２    ：排液浄化装置            ２０  ：チェアユニット
２１  ：バキューム排液管        ２２  ：うがい排液管
２３  ：傾斜排液管              ２４  ：排液分離器
２５  ：排液弁                  ２６  ：透明パイプ
２７  ：殺菌浄水器              ２８  ：紫外線殺菌灯
２９  ：リフレクタ              ２００：排液流路
２０１：浄化排水管              ２０２：排液浄化装置
２０３：殺菌浄水器              ２０４：超音波発振器
２０５：浄化排水管              ３    ：排液浄化装置
３０  ：殺菌浄水器              ３１  ：紫外線照射壁面
３２  ：排液流路                ３３  ：排液管
３４  ：浄化排水管              ３５  ：浄化排水タンク
３６  ：タンク排水管            ３７  ：スロープ
３８  ：リフレクタ              ４    ：排液浄化装置
４０  ：チェアユニット          ４１  ：バキューム排液管
４２  ：うがい排液管            ４３  ：排液管
４４  ：排液分離器              ４５  ：排液弁
４６  ：透明パイプ              ４７  ：殺菌浄水器
４８  ：紫外線殺菌灯            ４９  ：リフレクタ
４００：排液流路                ４０１：中継管
４０２：揚水ポンプ              ４０３：浄水槽
４０４：浄化排水管              ４０５：積算流量計
５    ：排液浄化装置            ５０  ：殺菌浄水器
５１  ：排液流路                ５２  ：紫外線殺菌灯
５３  ：排液管                  ５４  ：浄化排水管
５５  ：薬剤殺菌浄水部          ５６  ：薬剤
５７  ：薬剤殺菌浄水部          ５８  ：リフレクタ
６    ：排液浄化装置            ６０  ：殺菌浄水器
６１  ：紫外線照射壁面          ６２  ：排液流路
６３  ：排液管                  ６４  ：浄化排水管
６５  ：スロープ                ６６  ：薬剤
６７  ：排液浄化装置            ６８  ：殺菌浄水器
６９  ：階段状仕切板            ６００：オゾナイザ
６０１：オゾン流路              ６０２：オゾン回収器
７    ：排液浄化装置            ７０  ：殺菌浄水器
７１  ：排液流路                ７２  ：排液管
７３  ：浄化排水管              ７４  ：金属取出口
７５  ：透明壁                  ７６  ：殺菌浄水器
７７  ：紫外線殺菌灯            ７８  ：リフレクタ
８    ：排液浄化装置            ８０  ：分離槽
８１  ：分離槽                  ８２  ：分離槽
８３  ：排液流路                ８４：  排液管
８５  ：分離壁                  ８６  ：分離壁
８７  ：排液管                  ８８  ：浄化排水管
８９  ：薬剤殺菌浄水部          ８００：薬剤
【図１】
2018143754.tif 000003
【図２】
2018143754.tif 000004
【図３】
2018143754.tif 000005
【図４】
2018143754.tif 000006
【図５】
2018143754.tif 000007
【図６】
2018143754.tif 000008
【図７】
2018143754.tif 000009
【図８】
2018143754.tif 000010
【図９】
2018143754.tif 000011
【図１０】
2018143754.tif 000012